(57)【特許請求の範囲】
【請求項１】
端末装置が、非周期チャネル状態情報（ＣＳＩ）レポートトリガー情報が位置するサブフレームの前に位置し、且つ指定のサブフレームグループに属する１つ又は複数のダウンリンクサブフレームを該指定のサブフレームグループのＣＳＩ参照リソースに確定することと、
前記端末装置が、前記ＣＳＩ参照リソースにおけるＣＳＩ測定結果を取得し、前記指定のサブフレームグループに対応するＣＳＩレポートを生成することと、を含み、
前記１つ又は複数のダウンリンクサブフレームは、前記非周期ＣＳＩレポートトリガー情報が位置するサブフレームの属する無線フレームの前のｘ個の無線フレームの範囲内の１つの無線フレームに位置し、ｘが１以上の整数であるチャネル状態情報の測定方法。
【請求項２】
前記端末装置が、非周期ＣＳＩレポートトリガー情報が位置するサブフレームの前に位置し、且つ指定のサブフレームグループに属する１つ又は複数のダウンリンクサブフレームを該指定のサブフレームグループのＣＳＩ参照リソースに確定することは、
前記端末装置が、指定のサブフレームグループに属する、サブフレーム番号がｎ−ｉであるダウンリンクサブフレームを該指定のサブフレームグループのＣＳＩ参照リソースに確定することを含み、
ｎは非周期ＣＳＩレポートトリガー情報が位置するサブフレームのサブフレーム番号であり、ｉは非負整数ｓ以上の整数であり、
前記サブフレーム番号がｎ−ｉであるダウンリンクサブフレームが位置する無線フレームは、サブフレーム番号がｎであるダウンリンクサブフレームが位置する無線フレームの前のｘ個の無線フレームの範囲内の１つの無線フレームである請求項１に記載のチャネル状態情報の測定方法。
【請求項３】
前記ｉは非負整数ｓ以上の最小の整数であり、
又は、
前記非負整数ｓはシステムにより予め定義されて設定され、又は無線リソース制御（ＲＲＣ）シグナリングにより設定される請求項２に記載のチャネル状態情報の測定方法。
【請求項４】
前記ダウンリンクサブフレームはダウンリンクサブフレームＤとスペシャルサブフレームＳを含み、
又は、
前記ダウンリンクサブフレームはダウンリンクサブフレームＤとスペシャルサブフレームＳを含み、
又は、
前記指定のサブフレームグループは、端末装置がシステムのプリセットのルールにより確定した、非周期ＣＳＩレポートを行う必要があるサブフレームグループである請求項１に記載のチャネル状態情報の測定方法。
【請求項５】
非周期ＣＳＩレポートトリガー情報が位置するサブフレームの前に位置し、且つ指定のサブフレームグループに属する１つ又は複数のダウンリンクサブフレームを該指定のサブフレームグループのＣＳＩ参照リソースに確定するように設定されているチャネル状態情報（ＣＳＩ）参照リソース確定モジュールと、
前記ＣＳＩ参照リソースにおけるＣＳＩ測定結果を取得し、前記指定のサブフレームグループに対応するＣＳＩレポートを生成するように設定されているＣＳＩレポート生成モジュールと、を含み、
前記１つ又は複数のダウンリンクサブフレームは、前記非周期ＣＳＩレポートトリガー情報が位置するサブフレームの属する無線フレームの前のｘ個の無線フレームの範囲内の１つの無線フレームに位置し、ｘが１以上の整数であるチャネル状態情報の測定装置。
【請求項６】
前記ＣＳＩ参照リソース確定モジュールは、
指定のサブフレームグループに属する、サブフレーム番号がｎ−ｉであるダウンリンクサブフレームを該指定のサブフレームグループのＣＳＩ参照リソースに確定するように設定されている第１リソース確定ユニットを含み、
ｎは非周期ＣＳＩレポートトリガー情報が位置するサブフレームのサブフレーム番号であり、ｉは非負整数ｓ以上の整数であり、
前記サブフレーム番号がｎ−ｉであるダウンリンクサブフレームが位置する無線フレームは、サブフレーム番号がｎであるダウンリンクサブフレームが位置する無線フレームの前のｘ個の無線フレームの範囲内の１つの無線フレームである請求項５に記載のチャネル状態情報の測定装置。
【発明の詳細な説明】
【技術分野】
【０００１】
本発明は移動通信分野に関し、特にチャネル状態情報（Channel State Information、ＣＳＩと略称する）の測定方法及び装置に関する。
【背景技術】
【０００２】
ロングタームエボリューション（ＬＴＥ、Long Term Evolution）システムの時分割複信（ＴＤＤ、Time Division Duplex）モードのフレーム構造は、図１に示されるように、１つの１０msの無線フレーム（Radio frame）は、長さが５msである２つのハーフフレームを含み、各ハーフフレームは、長さが１msである５つのサブフレームからなる。該フレーム構造がサポートするアップリンク・ダウンリンク設定は、表１に示されるように、Ｄはサブフレームがダウンリンク伝送に用いられることを示し、Ｕはサブフレームがアップリンク伝送に用いられることを示し、Ｓはスペシャルサブフレームを示し、且つダウンリンクパイロットタイムスロット（ＤｗＰＴＳ、Downlink Pilot Time Slot）、ガード期間（ＧＰ、Guard Period）及びアップリンクパイロットタイムスロット（ＵｐＰＴＳ、Uplink Pilot Time Slot）という３つのスペシャルタイムスロットを含む。セル基地局（ｅＮＢ、evolved Node B）は、システムブロードキャストメッセージＳＩＢ１によりアップリンク・ダウンリンク設定情報を端末に送信する。
【０００３】
【表１】
0006462106.tif 000002
【０００４】
ＴＤＤ拡張干渉管理及びトラフィック適応（ｅＩＭＴＡ、enhanced Interference Management and Traffic Adaptation）は、ＬＴＥ ＴＤＤシステムに導入されたシステム性能強化技術であり、該技術によれば、基地局は、そのセルサービス負荷の変化に基づいて動的又は半静的にアップリンク・ダウンリンク設定を調整することを許可し、セルサービス負荷の変化をマッチングし、セルサービス負荷の需要を満たすようにして、システムアップリンク・ダウンリンクスループット性能及びシステム全体の性能を改善する。基地局は、ダウンリンク制御チャネル（例えば、物理ダウンリンク制御チャネル（ＰＤＣＣＨ、Physical Downlink Control Channel）により調整後のアップリンク・ダウンリンク設定情報を端末に送信する。
【０００５】
基地局はそのセルサービス負荷状況に基づいて柔軟にアップリンク・ダウンリンク設定を調整する時、異なるセルのサービス負荷状況が異なるため、異なる基地局は異なるアップリンク・ダウンリンク設定を採用し、それでは、各基地局はアップリンク・ダウンリンク伝送を行う際に、異なるサブフレームにおいて受ける干渉状況は明らかに異なる。図２に示すように、ｅＮＢ１、ｅＮＢ２、ｅＮＢ３は同じ領域内の３つの基地局であり、各セルのせービス負荷状況に基づいて、それぞれアップリンク・ダウンリンク設定０、アップリンク・ダウンリンク設定１、アップリンク・ダウンリンク設定２を採用し、そして、ｅＮＢ２のダウンリンク伝送を例とすると、ｅＮＢ２はサブフレーム０においてダウンリンク伝送を行う場合、ｅＮＢ１、ｅＮＢ３が対応するサブフレームにおいてダウンリンク伝送を行うことによるダウンリンク干渉を受け、ｅＮＢ２はサブフレーム４においてダウンリンク伝送を行う場合、ｅＮＢ１が対応するサブフレームにおいてアップリンク伝送を行うことによるアップリンク干渉を受け、ｅＮＢ３が対応するサブフレームにおいてダウンリンク伝送を行うことによるダウンリンク干渉を受け、同様に、ｅＮＢ２のアップリンク伝送を例とすると、ｅＮＢ２はサブフレーム２においてアップリンク伝送を行う場合、ｅＮＢ１、ｅＮＢ３が対応するサブフレームにおいてアップリンク伝送を行うことによるアップリンク干渉を受け、ｅＮＢ２はサブフレーム３においてアップリンク伝送を行う場合、ｅＮＢ１が対応するサブフレームにおいてアップリンク伝送を行うことによるアップリンク干渉を受け、ｅＮＢ３が対応するサブフレームにおいてダウンリンク伝送を行うことによるダウンリンク干渉を受ける。
【０００６】
異なるサブフレームにおいて受ける干渉状況は明らかに異なるため、ＴＤＤ ｅＩＭＴＡはダウンリンク適応効果を改善して、システムダウンリンクスループットの性能を向上させる目的を達成するように、ダウンリンクサブフレームに対してサブフレームグループ化を行うＣＳＩ測定レポートメカニズムをサポートする。該メカニズムにおいて、基地局は半静的に無線フレームにおける潜在的なダウンリンクサブフレーム（スペシャルサブフレームを含む）を２つのサブフレームグループに区分することができ、端末は２つのサブフレームグループに対してそれぞれ周期的又は非周期的なＣＳＩ測定レポートを行い、それにより、基地局は２つのサブフレームグループにそれぞれ対応するＣＳＩ情報を取得することができ、２つのサブフレームグループにおいてそれぞれダウンリンク適応伝送を行うことに用いる。
【０００７】
非周期ＣＳＩ測定レポートについて、端末はサブフレームｎのＰＤＣＣＨにおいて、非周期ＣＳＩレポートをトリガーするCSI request指示情報を受信した時、端末はＣＳＩ参照リソース（CSI reference resource）サブフレームにおけるＣＳＩ測定結果を取得して、サブフレームｍ＝ｎ＋ｋの物理アップリンク共有チャネル（ＰＵＳＣＨ、Physical Uplink Shared Channel）において非周期ＣＳＩレポートを行い、ｋの値はシステムにより予め定義されて設定される。
【０００８】
サブフレームグループ化非周期ＣＳＩレポートを行う時、関連技術では端末がサブフレームｎ（即ちCSI request指示情報をキャリーするＰＤＣＣＨが位置するサブフレーム）の所属するサブフレームグループに基づいて対応するサブフレームグループのＣＳＩを報告することを確定することをサポートする。ＴＤＤ ｅＩＭＴＡにおいて、異なる基地局はそのセルサービスの負荷状況に基づいて柔軟にアップリンク・ダウンリンク設定を調整することができ、CSI request指示情報をキャリーするＰＤＣＣＨはＳＩＢ１が通知したアップリンク・ダウンリンク設定におけるダウンリンクサブフレーム又はスペシャルサブフレームのみにおいて送信されることができ、これらのサブフレームは同じサブフレームグループに区分されるため、関連技術により、もう１つのサブフレームグループの非周期ＣＳＩレポートをトリガーすることができない。該問題に対して、現在選択できる技術案は、端末はCSI request指示情報をキャリーするＰＤＣＣＨが位置するサブフレームｎに基づいてどのサブフレームグループのＣＳＩを報告するかを確定すること、又は、端末は非周期ＣＳＩレポートを行うサブフレームｍに基づいてどのサブフレームグループのＣＳＩを報告するかを確定すること、又は、端末はＰＤＣＣＨにおける指示シグナリングに基づいてどのサブフレームグループのＣＳＩを報告するかを確定すること、を含む。
【発明の概要】
【発明が解決しようとする課題】
【０００９】
ＣＳＩ参照リソースに対して、伝送モード１−８と、プリコーディングマトリックスインジケーター及びランクインジケーターレポートパラメータを設定しない伝送モード９とを採用する場合、端末はセル固有の参照信号ＣＲＳ（Cell-specific Reference Signals）に基づいてＣＳＩ測定を行い、関連技術では端末がサブフレームｎをＣＳＩ参照リソースとし、端末が該サブフレームにおけるＣＳＩ測定結果を取得することをサポートする。ＴＤＤ ｅＩＭＴＡにおいて、同様に、異なる基地局はそのセルサービスの負荷状況に基づいて柔軟にアップリンク・ダウンリンク設定を調整することができ、CSI request指示情報をキャリーするＰＤＣＣＨはＳＩＢ１が通知したアップリンク・ダウンリンク設定におけるダウンリンクサブフレーム又はスペシャルサブフレームのみにおいて送信されることができ、これらのサブフレームは同じサブフレームグループに区分されるため、関連技術により、上記伝送モード１−９に対して、端末はサブフレームｎをＣＳＩ参照リソースとする場合、もう１つのサブフレームグループに対応するＣＳＩ測定結果を取得することができなく、これにより、端末は該サブフレームグループに対する非周期ＣＳＩレポートを効果的に実施することができない。該問題に対して、現在はまだ効果的な解決手段がない。
【００１０】
伝送モード１０を採用する場合、端末は１つ又は複数のＣＳＩプロセスを設定してＣＳＩ測定を行うことをサポートし、各ＣＳＩプロセスに対して、いずれも１つのＣＳＩ参照信号（ＣＳＩ-ＲＳ、CSI Reference Signal）リソースと１つのＣＳＩ干渉測定（ＣＳＩ-ＩＭ、CSI Interference Measurement）リソースはそれに関連付け、端末は対応するサブフレームをＣＳＩ参照リソースとし、ＣＳＩ-ＲＳリソースに基づいてチャネル測定を行い、ＣＳＩ-ＩＭリソースに基づいて干渉測定を行い、ＣＳＩ測定結果を取得することができ、ＣＳＩ-ＲＳリソースは非ゼロパワーのＣＳＩ-ＲＳであり、ＣＳＩ-ＩＭリソースはゼロパワーのＣＳＩ-ＲＳである。関連技術において、ＣＳＩ-ＲＳ設定はリソースエレメント（ＲＥ、Resource Element）位置マッピングとＣＳＩ-ＲＳサブフレーム設定を含み、ＣＳＩ-ＲＳサブフレーム設定はＣＳＩ-ＲＳ周期とＣＳＩ-ＲＳサブフレームオフセットを含み、ＣＳＩ-ＲＳ周期は５、１０、２０、４０、８０msを含む。関連技術は更に、端末はシステムが端末に設定できる１つのゼロパワーＣＳＩ-ＲＳリソース設定と完全に重なることができないＣＳＩ-ＩＭリソース設定の受信を期待しないことを規定している。ＴＤＤ ｅＩＭＴＡにおいて、伝送モード１０を採用し且つサブフレームグループ化ＣＳＩ測定レポートを行う場合、関連技術により、端末はＣＳＩ-ＩＭリソースにより１つのサブフレームグループのＣＳＩ測定結果のみを取得することができ、もう１つのサブフレームグループのＣＳＩ測定結果を取得することができない。図２の基地局ｅＮＢ２を例とすると、ｅＮＢ２はダウンリンクサブフレーム０、１、５、６をサブフレームグループ１に区分し、ダウンリンクサブフレーム４、９をサブフレームグループ２に区分し、関連技術により、ｅＮＢ２が設定したＣＳＩ-ＩＭリソースはサブフレーム０、５に位置してもよく、又はサブフレーム１、６に位置してもよく、又はサブフレーム４、９に位置してもよく、つまり、ＣＳＩ-ＩＭリソースはその中の１つのサブフレームグループのサブフレームのみに分布することができ、それ故に、端末はもう１つのサブフレームグループのＣＳＩを報告する必要がある場合、対応するＣＳＩ参照リソースを取得することができなく、対応するＣＳＩ測定結果を取得することができない。該問題に対して、現在はまだ効果的な解決手段がない。
【課題を解決するための手段】
【００１１】
本発明の実施例は、基地局が柔軟にアップリンク・ダウンリンク設定を調整することにより端末がサブフレームグループ化非周期ＣＳＩレポートを行う場合、ＣＳＩ参照リソースを効果的に確定することができない問題を解決するチャネル状態情報の測定方法及び装置を提供する。
【００１２】
チャネル状態情報の測定方法であって、
端末装置が、非周期チャネル状態情報（ＣＳＩ）レポートトリガー情報が位置するサブフレームの前に位置し、且つ指定のサブフレームグループに属する１つ又は複数のダウンリンクサブフレームを該指定のサブフレームグループのＣＳＩ参照リソースに確定することと、
前記端末装置が、前記ＣＳＩ参照リソースにおけるＣＳＩ測定結果を取得し、前記指定のサブフレームグループに対応するＣＳＩレポートを生成することと、を含む。
【００１３】
好ましくは、前記端末装置が、非周期ＣＳＩレポートトリガー情報が位置するサブフレームの前に位置し、且つ指定のサブフレームグループに属する１つ又は複数のダウンリンクサブフレームを該指定のサブフレームグループのＣＳＩ参照リソースに確定することは、
端末装置が、指定のサブフレームグループに属する、サブフレーム番号がｎ−ｉであるダウンリンクサブフレームを該指定のサブフレームグループのＣＳＩ参照リソースに確定することを含み、
ｎは非周期ＣＳＩレポートトリガー情報が位置するサブフレームのサブフレーム番号であり、ｉは非負整数ｓ以上の整数である。
【００１４】
好ましくは、前記サブフレーム番号がｎ−ｉであるダウンリンクサブフレームが位置する無線フレームと、サブフレーム番号がｎであるダウンリンクサブフレームが位置する無線フレームとは同じ無線フレームである。
【００１５】
好ましくは、前記サブフレーム番号がｎ−ｉであるダウンリンクサブフレームが位置する無線フレームは、サブフレーム番号がｎであるダウンリンクサブフレームが位置する無線フレームの前のｘ個の無線フレームの範囲内の１つの無線フレームであり、ｘが１以上の整数である。
【００１６】
好ましくは、前記ｉは非負整数ｓ以上の最小の整数である。
【００１７】
好ましくは、前記非負整数ｓはシステムにより予め定義されて設定され、又は無線リソース制御（ＲＲＣ）シグナリングにより設定される。
【００１８】
好ましくは、前記ダウンリンクサブフレームはダウンリンクサブフレームＤとスペシャルサブフレームＳを含む。
【００１９】
好ましくは、前記指定のサブフレームグループは、端末装置がシステムのプリセットのルールにより確定した、非周期ＣＳＩレポートを行う必要があるサブフレームグループである。
【００２０】
本発明の実施例は、チャネル状態情報の測定方法を更に提供し、
端末装置が、非周期ＣＳＩレポートサブフレームの前に位置し、非周期ＣＳＩレポートトリガー情報が位置するサブフレームと共に同じ無線フレームに位置し、且つ指定のサブフレームグループに属する１つ又は複数のダウンリンクサブフレームを該指定のサブフレームグループのＣＳＩ参照リソースに確定することと、
前記端末装置が、前記ＣＳＩ参照リソースにおけるＣＳＩ測定結果を取得し、前記指定のサブフレームグループに対応するＣＳＩレポートを生成することと、を含む。
【００２１】
好ましくは、前記端末装置が、非周期ＣＳＩレポートサブフレームの前に位置し、非周期ＣＳＩレポートトリガー情報が位置するサブフレームと共に同じ無線フレームに位置し、且つ指定のサブフレームグループに属する１つ又は複数のダウンリンクサブフレームを該指定のサブフレームグループのＣＳＩ参照リソースに確定することは、
前記端末装置が、非周期ＣＳＩレポートトリガー情報が位置するサブフレームと共に同じ無線フレームに位置し、指定のサブフレームグループに属する、サブフレーム番号がｍ−ｊであるダウンリンクサブフレームを該指定のサブフレームグループのＣＳＩ参照リソースに確定することを含み、
ｍは端末が非周期ＣＳＩレポートを行うアップリンクサブフレームのサブフレーム番号であり、ｊは正の整数ｔ以上の整数である。
【００２２】
好ましくは、前記ｊは正の整数ｔ以上の最小の整数である。
【００２３】
好ましくは、前記正の整数ｔはシステムにより予め定義されて設定され、又は無線リソース制御ＲＲＣシグナリングにより設定される。
【００２４】
好ましくは、前記ダウンリンクサブフレームはダウンリンクサブフレームＤとスペシャルサブフレームＳを含む。
【００２５】
好ましくは、前記指定のサブフレームグループは、端末装置がシステムのプリセットのルールにより確定した、非周期ＣＳＩレポートを行う必要があるサブフレームグループである。
【００２６】
本発明の実施例はチャネル状態情報の測定方法を更に提供し、
基地局が、指定の端末装置の全部のＣＳＩプロセスに、２つのゼロパワーＣＳＩ参照信号リソース設定と重なるＣＳＩ干渉測定リソースを設定することと、
前記指定の端末装置が指定のサブフレームグループのＣＳＩ参照リソース及び/又はＣＳＩ干渉測定リソースを確定するために、前記基地局が、前記ＣＳＩ干渉測定リソースの設定情報を前記指定の端末装置に送信することと、を含む。
【００２７】
好ましくは、前記２つのゼロパワーＣＳＩ参照信号リソース設定と重なるＣＳＩ干渉測定リソースはそれぞれ、異なるサブフレーム又は異なるサブフレームグループに対応する。
【００２８】
好ましくは、前記異なるサブフレームは同じサブフレームグループに属し、又は異なるサブフレームグループに属する。
【００２９】
好ましくは、前記２つのゼロパワーＣＳＩ参照信号リソース設定の周期及び/又はサブフレームオフセットは異なる。
【００３０】
好ましくは、前記方法は、
前記指定の端末装置がデータ伝送速度マッチングを行うために、前記基地局が、前記２つのゼロパワーＣＳＩ参照信号リソース設定の情報を指定の端末装置に送信することを更に含む。
【００３１】
本発明の実施例はチャネル状態情報の測定装置を更に提供し、
非周期ＣＳＩレポートトリガー情報が位置するサブフレームの前に位置し、且つ指定のサブフレームグループに属する１つ又は複数のダウンリンクサブフレームを該指定のサブフレームグループのＣＳＩ参照リソースに確定するように設定されるＣＳＩ参照リソース確定モジュールと、
前記ＣＳＩ参照リソースにおけるＣＳＩ測定結果を取得し、前記指定のサブフレームグループに対応するＣＳＩレポートを生成するように設定されるＣＳＩレポート生成モジュールと、を含む。
【００３２】
好ましくは、前記ＣＳＩ参照リソース確定モジュールは、
指定のサブフレームグループに属する、サブフレーム番号がｎ−ｉであるダウンリンクサブフレームを該指定のサブフレームグループのＣＳＩ参照リソースに確定するように設定される第１リソース確定ユニットを含み、
ｎは非周期ＣＳＩレポートトリガー情報が位置するサブフレームのサブフレーム番号であり、ｉは非負整数ｓ以上の整数である。
【００３３】
本発明の実施例は、チャネル状態情報の測定装置を更に提供し、
非周期ＣＳＩレポートサブフレームの前に位置し、非周期ＣＳＩレポートトリガー情報が位置するサブフレームと共に同じ無線フレームに位置し、且つ指定のサブフレームグループに属する１つ又は複数のダウンリンクサブフレームを該指定のサブフレームグループのＣＳＩ参照リソースに確定するように設定されているＣＳＩ参照リソース確定モジュールと、
前記ＣＳＩ参照リソースにおけるＣＳＩ測定結果を取得し、前記指定のサブフレームグループに対応するＣＳＩレポートを生成するように設定されているＣＳＩレポート生成モジュールと、を含む。
【００３４】
好ましくは、ＣＳＩ参照リソース確定モジュールは、
非周期ＣＳＩレポートトリガー情報が位置するサブフレームと共に同じ無線フレームに位置し、指定のサブフレームグループに属する、サブフレーム番号がｍ−ｊであるダウンリンクサブフレームを該指定のサブフレームグループのＣＳＩ参照リソースに確定するように設定されている第２リソース確定ユニットを含み、
ｍは端末が非周期ＣＳＩレポートを行うアップリンクサブフレームのサブフレーム番号であり、ｊは正の整数ｔ以上の整数である。
【００３５】
本発明の実施例は、チャネル状態情報の測定装置を更に提供し、
指定の端末装置の全部のＣＳＩプロセスに、２つのゼロパワーＣＳＩ参照信号リソース設定と重なるＣＳＩ干渉測定リソースを設定するように設定されているリソース設定モジュールと、
前記指定の端末装置が指定のサブフレームグループのＣＳＩ参照リソース及び/又はＣＳＩ干渉測定リソースを確定するために、前記ＣＳＩ干渉測定リソースの設定情報を前記指定の端末装置に送信するように設定されている設定送信モジュールと、を含む。
【００３６】
好ましくは、前記設定送信モジュールは更に、前記指定の端末装置がデータ伝送速度マッチングを行うために、前記２つのゼロパワーＣＳＩ参照信号リソース設定の情報を前記指定の端末装置に送信するように設定されている。
【００３７】
本発明の実施例は、コンピュータプログラムを更に提供し、プログラム指令を含み、該プログラム指令が端末装置により実行される場合、該端末装置は上記方法を実行できる。
【００３８】
本発明の実施例は、コンピュータプログラムを更に提供し、プログラム指令を含み、該プログラム指令が基地局により実行される場合、該基地局は上記方法を実行できる。
【００３９】
本発明の実施例は、上記いずれか１つのコンピュータプログラムを記憶する媒体を更に提供する。
【発明の効果】
【００４０】
本発明の実施例によれば、端末が、異なるサブフレームグループに対応するＣＳＩ測定結果を効果的に取得してＣＳＩレポートを行うことを実現し、基地局が柔軟にアップリンク・ダウンリンク設定を調整することにより、端末がサブフレームグループ化非周期ＣＳＩレポートを行う場合、ＣＳＩ参照リソースを効果的に確定することができない問題を解決する。
【図面の簡単な説明】
【００４１】
【図１】図１は、ＬＴＥシステムのＴＤＤモードのフレーム構造の模式図である。
【図２】図２は、関連技術での異なるサブフレームにおける干渉状況の模式図である。
【図３】図３は、本発明の実施例１による端末がサブフレームグループ化非周期ＣＳＩレポートを行う原理模式図である。
【図４】図４は、本発明の実施例２による端末がサブフレームグループ化非周期ＣＳＩレポートを行う原理模式図である。
【図５】図５は、本発明の実施例３による端末がサブフレームグループ化非周期ＣＳＩレポートを行う原理模式図である。
【図６】図６は、本発明の実施例４による端末がサブフレームグループ化非周期ＣＳＩレポートを行う原理模式図である。
【図７】図７は、本発明の実施例５、７による端末がサブフレームグループ化非周期ＣＳＩレポートを行う原理模式図である。
【図８】図８は、本発明の実施例６による端末がサブフレームグループ化非周期ＣＳＩレポートを行う原理模式図である。
【図９】図９は、本発明の実施例８による基地局がＣＳＩ干渉測定リソース設定を行う原理模式図である。
【図１０】図１０は、本発明の実施例９による基地局がＣＳＩ干渉測定リソース設定を行う原理模式図である。
【図１１】図１１は、本発明の実施例１０によるチャネル状態情報の測定装置の構造模式図である。
【図１２】図１２は、本発明の実施例１０による他のチャネル状態情報の測定装置の構造模式図である。
【図１３】図１３は、本発明の実施例１０による他のチャネル状態情報の測定装置の構造模式図である。
【発明を実施するための形態】
【００４２】
ＣＳＩ参照リソースに対して、伝送モード１−８と、プリコーディングマトリックスインジケーター及びランクインジケーターレポートパラメータを設定しない伝送モード９とを採用する場合、端末はセル固有の参照信号ＣＲＳに基づいてＣＳＩ測定を行い、関連技術では端末がサブフレームｎをＣＳＩ参照リソースとし、端末が該サブフレームにおけるＣＳＩ測定結果を取得することをサポートする。ＴＤＤ ｅＩＭＴＡにおいて、異なる基地局はそのセルサービスの負荷状況に基づいて柔軟にアップリンク・ダウンリンク設定を調整することができ、CSI request指示情報をキャリーするＰＤＣＣＨはＳＩＢ１が通知したアップリンク・ダウンリンク設定におけるダウンリンクサブフレーム又はスペシャルサブフレームのみにおいて送信されることができ、これらのサブフレームは同じサブフレームグループに区分されるため、関連技術により、上記伝送モード１−９に対して、端末はサブフレームｎをＣＳＩ参照リソースとする場合、もう１つのサブフレームグループに対応するＣＳＩ測定結果を取得することができなく、これにより、端末は該サブフレームグループに対する非周期ＣＳＩレポートを効果的に実施することができない。該問題に対して、現在はまだ効果的な解決手段がない。
【００４３】
伝送モード１０を採用する場合、端末は１つ又は複数のＣＳＩプロセスを設定してＣＳＩ測定を行うことをサポートし、各ＣＳＩプロセスに対して、いずれも１つのＣＳＩ-ＲＳリソースと１つのＣＳＩ-ＩＭリソースはそれに関連付け、端末は対応するサブフレームをＣＳＩ参照リソースとし、ＣＳＩ-ＲＳリソースに基づいてチャネル測定を行い、ＣＳＩ-ＩＭリソースに基づいて干渉測定を行い、ＣＳＩ測定結果を取得することができ、ＣＳＩ-ＲＳリソースは非ゼロパワーのＣＳＩ-ＲＳであり、ＣＳＩ-ＩＭリソースはゼロパワーのＣＳＩ-ＲＳである。関連技術において、ＣＳＩ-ＲＳ設定はＲＥ位置マッピングとＣＳＩ-ＲＳサブフレーム設定を含み、ＣＳＩ-ＲＳサブフレーム設定はＣＳＩ-ＲＳ周期とＣＳＩ-ＲＳサブフレームオフセットを含み、ＣＳＩ-ＲＳ周期は、５、１０、２０、４０、８０msを含む。関連技術は更に、端末はシステムが端末に設定できる１つのゼロパワーＣＳＩ-ＲＳリソース設定と完全に重なることができないＣＳＩ-ＩＭリソース設定の受信を期待しないことを規定している。ＴＤＤ ｅＩＭＴＡにおいて、伝送モード１０を採用し且つサブフレームグループ化ＣＳＩ測定レポートを行う場合、関連技術により、端末はＣＳＩ-ＩＭリソースにより１つのサブフレームグループのＣＳＩ測定結果のみを取得することができ、もう１つのサブフレームグループのＣＳＩ測定結果を取得することができない。図２の基地局ｅＮＢ２を例とすると、ｅＮＢ２はダウンリンクサブフレーム０、１、５、６をサブフレームグループ１に区分し、ダウンリンクサブフレーム４、９をサブフレームグループ２に区分し、関連技術により、ｅＮＢ２が設定したＣＳＩ-ＩＭリソースはサブフレーム０、５に位置してもよく、又はサブフレーム１、６に位置してもよく、又はサブフレーム４、９に位置してもよく、つまり、ＣＳＩ-ＩＭリソースはその中の１つのサブフレームグループのサブフレームのみに分布することができ、それ故に、端末はもう１つのサブフレームグループのＣＳＩを報告する必要がある場合、対応するＣＳＩ参照リソースを取得することができなく、対応するＣＳＩ測定結果を取得することができない。該問題に対して、現在はまだ効果的な解決手段がない。
【００４４】
上記問題を解決するために、本発明の実施例はチャネル状態情報の測定方法及び装置を提供する。以下、図面を参照しながら本発明の実施例を詳しく説明する。なお、矛盾が生じない場合に、本願における実施例及び実施例における特徴を互いに任意に組み合わせることができる。
【００４５】
実施例１
本発明の実施例はチャネル状態情報の測定方法を提供し、該方法を利用してサブフレームグループ化非周期ＣＳＩレポートを行う原理は、図３に示される。
【００４６】
本発明の実施例において、仮にｅＮＢ１がＳＩＢ１により端末に送信するアップリンク・ダウンリンク設定をアップリンク・ダウンリンク設定３とし、ｅＮＢ１がそのセルの現在のサービス負荷状況に基づいて採用のアップリンク・ダウンリンク設定をアップリンク・ダウンリンク設定５に調整し、仮にｅＮＢ２をｅＮＢ１のダウンリンクの強い干渉源セルとし、ｅＮＢ２の現在採用するアップリンク・ダウンリンク設定をアップリンク・ダウンリンク設定３とする。
【００４７】
ｅＮＢ１はダウンリンクサブフレーム（スペシャルサブフレームを含む）を２つのサブフレームグループに区分し、サブフレーム｛０，１，５，６，７，８，９｝がサブフレームグループ１に属し、サブフレーム｛３，４｝がサブフレームグループ２に属する。
【００４８】
仮に端末は無線フレーム＃ａのダウンリンクサブフレーム８においてｅＮＢ１が送信した非周期ＣＳＩレポートトリガー情報（例えばCSI request指示情報）を受信し、端末はシステムのプリセットのルール（例えば無線フレーム＃ａが偶数フレームである）に基づいて、サブフレームグループ１に対して非周期ＣＳＩレポートを行う必要があることを確定すると、
仮に端末は無線フレーム＃ａ＋１のダウンリンクサブフレーム８においてｅＮＢ１が送信した非周期ＣＳＩレポートトリガー情報を受信し、端末はシステムのプリセットのルール（例えば無線フレーム＃ａ＋１が奇数フレームである）に基づいて、サブフレームグループ２に対して非周期ＣＳＩレポートを行う必要があることを確定する。
【００４９】
無線フレーム＃ａにおいて、非周期ＣＳＩレポートトリガー情報をキャリーするダウンリンクサブフレーム８はサブフレームグループ１に属するため、サブフレームグループ１に対して、端末は関連技術により非周期ＣＳＩレポートを行うことができ、即ち端末は無線フレーム＃ａにおけるサブフレーム８をサブフレームグループ１のＣＳＩ参照リソースに確定して、該サブフレームにおけるＣＳＩ測定結果を取得し、サブフレームグループ１に対応するＣＳＩレポートを生成し、無線フレーム＃ａ＋１のアップリンクサブフレーム２においてｅＮＢ１に送信する。
【００５０】
無線フレーム＃ａ＋１において、非周期ＣＳＩレポートトリガー情報をキャリーするダウンリンクサブフレーム８はサブフレームグループ１に属するため、サブフレームグループ２に対して、端末は本発明の実施例の方式により非周期ＣＳＩレポートを行う。好ましくは、端末はサブフレームグループ２に属するダウンリンクサブフレームｎ−ｉをサブフレームグループ２のＣＳＩ参照リソースに確定し、サブフレームｎは無線フレーム＃ａ＋１において非周期ＣＳＩレポートトリガー情報をキャリーするサブフレーム８であり、システムはｉを非負整数ｓに等しいように予め定義して設定し、且つ、システムは非負整数ｓを非負整数ｓ＝５のように予め定義して設定し、又は、ＲＲＣシグナリングは非負整数ｓを非負整数ｓ＝５のように設定し、これは端末が、無線フレーム＃ａ＋１においてサブフレームグループ２に属するダウンリンクサブフレーム３をサブフレームグループ２のＣＳＩ参照リソースに確定することに相当し、そうすると、端末は該サブフレームにおけるＣＳＩ測定結果を取得し、サブフレームグループ２に対応するＣＳＩレポートを生成し、無線フレーム＃ａ＋２のアップリンクサブフレーム２においてｅＮＢ１に送信する。
【００５１】
本発明の実施例において、システム又は基地局はパラメータ設定により、非周期ＣＳＩレポートトリガー情報が位置するサブフレームｎの前に位置する要望のサブフレームにおけるＣＳＩ測定結果を端末に取得させる。例えば、システム又は基地局は関連する情報に基づいて、無線フレーム＃ａ＋１においてサブフレームグループ２に属するダウンリンクサブフレーム３がサブフレームグループ２のＣＳＩ情報の反映により相応しいと認める場合、該サブフレームを、端末がＣＳＩ測定結果を取得することを期待し且つＣＳＩレポートに用いられるサブフレームに設定する。
【００５２】
なお、サブフレームグループ１に対して、端末は同様に本発明の実施例の方式により非周期ＣＳＩレポートを行うことができ、実現の過程は上記端末がサブフレームグループ２に対して非周期ＣＳＩレポートを行う過程と類似し、該実施例では繰り返して説明しない。
【００５３】
実施例２
本発明の実施例はチャネル状態情報の測定方法を提供し、該方法を利用してサブフレームグループ化非周期ＣＳＩレポートを行う原理は、図４に示される。
【００５４】
仮にｅＮＢ１がＳＩＢ１により端末に送信するアップリンク・ダウンリンク設定をアップリンク・ダウンリンク設定３とし、ｅＮＢ１がそのセルの現在のサービス負荷状況に基づいて採用のアップリンク・ダウンリンク設定をアップリンク・ダウンリンク設定５に調整し、仮にｅＮＢ２をｅＮＢ１のダウンリンクの強い干渉源セルとし、ｅＮＢ２の現在に採用するアップリンク・ダウンリンク設定をアップリンク・ダウンリンク設定３とする。
【００５５】
ｅＮＢ１はダウンリンクサブフレーム（スペシャルサブフレームを含む）を２つのサブフレームグループに区分し、サブフレーム｛０，１，５，６，７，８，９｝がサブフレームグループ１に属し、サブフレーム｛３，４｝がサブフレームグループ２に属する。
【００５６】
仮に端末は無線フレーム＃ａのダウンリンクサブフレーム８においてｅＮＢ１が送信した非周期ＣＳＩレポートトリガー情報を受信し、端末はシステムのプリセットのルールに基づいて、サブフレームグループ１に対して非周期ＣＳＩレポートを行う必要があることを確定すると、
仮に端末は無線フレーム＃ａ＋１のダウンリンクサブフレーム８においてｅＮＢ１が送信した非周期ＣＳＩレポートトリガー情報を受信し、端末はシステムのプリセットのルールに基づいて、サブフレームグループ２に対して非周期ＣＳＩレポートを行う必要があることを確定する。
【００５７】
無線フレーム＃ａにおいて、非周期ＣＳＩレポートトリガー情報をキャリーするダウンリンクサブフレーム８はサブフレームグループ１に属するため、サブフレームグループ１に対して、端末は関連技術により非周期ＣＳＩレポートを行うことができ、即ち端末は無線フレーム＃ａにおけるサブフレーム８をサブフレームグループ１のＣＳＩ参照リソースに確定して、該サブフレームにおけるＣＳＩ測定結果を取得し、サブフレームグループ１に対応するＣＳＩレポートを生成し、無線フレーム＃ａ＋１のアップリンクサブフレーム２においてｅＮＢ１に送信する。
【００５８】
無線フレーム＃ａ＋１において、非周期ＣＳＩレポートトリガー情報をキャリーするダウンリンクサブフレーム８はサブフレームグループ１に属するため、サブフレームグループ２に対して、端末は本発明の実施例の方式により非周期ＣＳＩレポートを行う。好ましくは、端末はサブフレームグループ２に属するダウンリンクサブフレームｎ−ｉをサブフレームグループ２のＣＳＩ参照リソースに確定し、サブフレームｎは無線フレーム＃ａ＋１において非周期ＣＳＩレポートトリガー情報をキャリーするサブフレーム８であり、システムはｉを非負整数ｓ以上の整数に予め定義し、且つダウンリンクサブフレームｎ−ｉが位置する無線フレームとサブフレーム８が位置する無線フレームとは同じ無線フレームであり、且つ、システムは非負整数ｓを非負整数ｓ＝１のように予め定義して設定し、又は、ＲＲＣシグナリングは非負整数ｓを非負整数ｓ＝１のように設定する。サブフレーム８は無線フレーム＃ａ＋１に位置するため、上記条件を満たすサブフレームは無線フレーム＃ａ＋１におけるサブフレーム４とサブフレーム３を含み、対応するｉの値はそれぞれ４と５である。そうすると、端末は無線フレーム＃ａ＋１においてサブフレームグループ２に属するサブフレーム４とサブフレーム３をいずれもサブフレームグループ２のＣＳＩ参照リソースに確定して、この２つのサブフレームにおけるＣＳＩ測定結果を取得し、均一化処理を行い、サブフレームグループ２に対応するＣＳＩレポートを生成し、無線フレーム＃ａ＋２のアップリンクサブフレーム２においてｅＮＢ１に送信する。
【００５９】
本発明の実施例において、端末は複数のＣＳＩ参照リソースのサブフレームにおけるＣＳＩ測定結果を取得することができ、均一化処理により、より合理的なＣＳＩレポートを基地局に提供することができる。
【００６０】
実施例３
本発明の実施例はチャネル状態情報の測定方法を提供し、該方法を利用してサブフレームグループ化非周期ＣＳＩレポートを行う原理は、図５に示される。
【００６１】
仮にｅＮＢ１がＳＩＢ１により端末に送信するアップリンク・ダウンリンク設定をアップリンク・ダウンリンク設定１とし、ｅＮＢ１がそのセルの現在のサービス負荷状況に基づいて採用のアップリンク・ダウンリンク設定をアップリンク・ダウンリンク設定２に調整し、仮にｅＮＢ２をｅＮＢ１のダウンリンクの強い干渉源セル基地局とし、ｅＮＢ２の現在に採用するアップリンク・ダウンリンク設定をアップリンク・ダウンリンク設定１とする。
【００６２】
ｅＮＢ１はダウンリンクサブフレーム（スペシャルサブフレームを含む）を２つのサブフレームグループに区分し、サブフレーム｛０，１，４，５，６，９｝がサブフレームグループ１に属し、サブフレーム｛３，８｝がサブフレームグループ２に属する。
【００６３】
仮に端末は無線フレーム＃ａのスペシャルサブフレーム６においてｅＮＢ１が送信した非周期ＣＳＩレポートトリガー情報を受信し、端末はシステムのプリセットのルール（例えばサブフレーム６が偶数サブフレームである）に基づいて、サブフレームグループ１に対して非周期ＣＳＩレポートを行う必要があることを確定すると、
仮に端末は無線フレーム＃ａ＋１のスペシャルサブフレーム１においてｅＮＢ１が送信した非周期ＣＳＩレポートトリガー情報を受信し、端末はシステムのプリセットのルール（例えばサブフレーム１が奇数サブフレームである）に基づいて、サブフレームグループ２に対して非周期ＣＳＩレポートを行う必要があることを確定する。
【００６４】
無線フレーム＃ａにおいて、非周期ＣＳＩレポートトリガー情報をキャリーするスペシャルサブフレーム６はサブフレームグループ１に属するため、サブフレームグループ１に対して、端末は関連技術により非周期ＣＳＩレポートを行うことができ、即ち端末は無線フレーム＃ａにおけるサブフレーム６をサブフレームグループ１のＣＳＩ参照リソースに確定して、該サブフレームにおけるＣＳＩ測定結果を取得し、サブフレームグループ１に対応するＣＳＩレポートを生成し、無線フレーム＃ａ＋１のアップリンクサブフレーム２においてｅＮＢ１に送信する。
【００６５】
無線フレーム＃ａ＋１において、非周期ＣＳＩレポートトリガー情報をキャリーするスペシャルサブフレーム１はサブフレームグループ１に属するため、サブフレームグループ２に対して、端末は本発明の実施例の方式により非周期ＣＳＩレポートを行う。好ましくは、端末は、サブフレームグループ２に属するダウンリンクサブフレームｎ−ｉをサブフレームグループ２のＣＳＩ参照リソースに確定し、サブフレームｎは無線フレーム＃ａ＋１において非周期ＣＳＩレポートトリガー情報をキャリーするサブフレーム１であり、システムはｉを非負整数ｓ以上の整数に予め定義し、且つダウンリンクサブフレームｎ−ｉが位置する無線フレームはサブフレーム１が位置する無線フレームの前の１つの無線フレームであり、そして、システムは非負整数ｓを非負整数ｓ＝１のように予め定義して設定し、又は、ＲＲＣシグナリングは非負整数ｓを非負整数ｓ＝１のように設定する。サブフレーム１は無線フレーム＃ａ＋１に位置するため、その前の無線フレーム＃ａにおいて上記条件を満たすサブフレームはサブフレーム８とサブフレーム３を含み、対応するｉの値はそれぞれ３と８である。そうすると、端末は無線フレーム＃ａにおいてサブフレームグループ２に属するサブフレーム８とサブフレーム３をいずれもサブフレームグループ２のＣＳＩ参照リソースに確定して、この２つのサブフレームにおけるＣＳＩ測定結果を取得し、均一化処理を行い、サブフレームグループ２に対応するＣＳＩレポートを生成し、無線フレーム＃ａ＋１のアップリンクサブフレーム７においてｅＮＢ１に送信する。
【００６６】
本発明の実施例において、端末は複数のＣＳＩ参照リソースのサブフレームにおけるＣＳＩ測定結果を取得することができ、均一化処理により、より合理的なＣＳＩレポートを基地局に提供することができ、また、該実施例に記載の方式は下記場合に更に適用され、即ち、非周期ＣＳＩレポートトリガー情報をキャリーするサブフレームｎが位置する無線フレームにおいて、ｅＮＢ１は該無線フレームにおけるサブフレームグループの区分を確定できないことにより、該無線フレームにおいてどのサブフレームがサブフレームグループ２のＣＳＩ参照リソースとすることに相応しいかを確定できない場合であり、例えば、ｅＮＢ１は強い干渉源セル基地局のアップリンク・ダウンリンク設定情報を知らない。
【００６７】
実施例４
本発明の実施例はチャネル状態情報の測定方法を提供し、該方法を利用してサブフレームグループ化非周期ＣＳＩレポートを行う原理は、図６に示される。
【００６８】
本発明の実施例において、仮にｅＮＢ１がＳＩＢ１により端末に送信するアップリンク・ダウンリンク設定をアップリンク・ダウンリンク設定３とし、ｅＮＢ１がそのセルの現在のサービス負荷状況に基づいて採用のアップリンク・ダウンリンク設定をアップリンク・ダウンリンク設定５に調整し、仮にｅＮＢ２をｅＮＢ１のダウンリンクの強い干渉源セルとし、ｅＮＢ２の現在に採用するアップリンク・ダウンリンク設定をアップリンク・ダウンリンク設定３とする。
【００６９】
ｅＮＢ１はダウンリンクサブフレーム（スペシャルサブフレームを含む）を２つのサブフレームグループに区分し、サブフレーム｛０，１，５，６，７，８，９｝がサブフレームグループ１に属し、サブフレーム｛３，４｝がサブフレームグループ２に属する。
【００７０】
仮に端末は無線フレーム＃ａのダウンリンクサブフレーム８においてｅＮＢ１が送信した非周期ＣＳＩレポートトリガー情報を受信し、端末はシステムのプリセットのルールに基づいて、サブフレームグループ１に対して非周期ＣＳＩレポートを行う必要があることを確定すると、
仮に端末は無線フレーム＃ａ＋１のダウンリンクサブフレーム８においてｅＮＢ１が送信した非周期ＣＳＩレポートトリガー情報を受信し、端末はシステムのプリセットのルールに基づいて、サブフレームグループ２に対して非周期ＣＳＩレポートを行う必要があることを確定する。
【００７１】
無線フレーム＃ａにおいて、非周期ＣＳＩレポートトリガー情報をキャリーするダウンリンクサブフレーム８はサブフレームグループ１に属するため、サブフレームグループ１に対して、端末は関連技術により非周期ＣＳＩレポートを行うことができ、即ち端末は無線フレーム＃ａにおけるサブフレーム８をサブフレームグループ１のＣＳＩ参照リソースに確定して、該サブフレームにおけるＣＳＩ測定結果を取得し、サブフレームグループ１に対応するＣＳＩレポートを生成し、無線フレーム＃ａ＋１のアップリンクサブフレーム２においてｅＮＢ１に送信する。
【００７２】
無線フレーム＃ａ＋１において、非周期ＣＳＩレポートトリガー情報をキャリーするダウンリンクサブフレーム８はサブフレームグループ１に属するため、サブフレームグループ２に対して、端末は本発明の実施例の方式により非周期ＣＳＩレポートを行う。好ましくは、端末はサブフレームグループ２に属するダウンリンクサブフレームｎ−ｉをサブフレームグループ２のＣＳＩ参照リソースに確定し、サブフレームｎは無線フレーム＃ａ＋１において非周期ＣＳＩレポートトリガー情報をキャリーするサブフレーム８であり、システムはｉを非負整数ｓ以上の最小の整数に予め定義し、且つ、システムは非負整数ｓを非負整数ｓ＝１のように予め定義して設定し、又は、ＲＲＣシグナリングは非負整数ｓを非負整数ｓ＝１のように設定する。前記サブフレーム８に最も近く且つサブフレームグループ２に属するダウンリンクサブフレームは無線フレーム＃ａ＋１におけるダウンリンクサブフレーム４であり、これはｉ＝４に相当するため、端末は無線フレーム＃ａ＋１においてサブフレームグループ２に属するダウンリンクサブフレーム４をサブフレームグループ２のＣＳＩ参照リソースに確定して、該サブフレームにおけるＣＳＩ測定結果を取得し、サブフレームグループ２に対応するＣＳＩレポートを生成し、無線フレーム＃ａ＋２のアップリンクサブフレーム２においてｅＮＢ１に送信する。
【００７３】
本発明の実施例において、端末はサブフレームグループ２に属し、且つ非周期ＣＳＩレポートトリガー情報が位置するサブフレームに最も近いサブフレームをサブフレームグループ２のＣＳＩ参照リソースに確定し、システム又は基地局は端末がＣＳＩ測定結果を取得することを期待するサブフレームを取得して設定する必要がなく、端末はサブフレームグループ２に属し、且つ非周期ＣＳＩレポートトリガー情報が位置するサブフレームに最も近いサブフレームにおけるＣＳＩ測定結果を記憶するだけでよく、端末がＣＳＩ測定結果を記憶するオーバーヘッドを低減させる。
【００７４】
実施例５
本発明の実施例はチャネル状態情報の測定方法を提供し、該方法を利用してサブフレームグループ化非周期ＣＳＩレポートを行う原理は、図７に示される。
【００７５】
仮にｅＮＢ１がＳＩＢ１により端末に送信するアップリンク・ダウンリンク設定をアップリンク・ダウンリンク設定１とし、ｅＮＢ１がそのセルの現在のサービス負荷状況に基づいて採用のアップリンク・ダウンリンク設定をアップリンク・ダウンリンク設定２に調整し、仮にｅＮＢ２をｅＮＢ１のダウンリンクの強い干渉源セルとし、ｅＮＢ２の現在に採用するアップリンク・ダウンリンク設定をアップリンク・ダウンリンク設定１とする。
【００７６】
ｅＮＢ１はダウンリンクサブフレーム（スペシャルサブフレームを含む）を２つのサブフレームグループに区分し、サブフレーム｛０，１，４，５, ６，９｝がサブフレームグループ１に属し、サブフレーム｛３，８｝がサブフレームグループ２に属する。
【００７７】
仮に端末は無線フレーム＃ａのスペシャルサブフレーム６においてｅＮＢ１が送信した非周期ＣＳＩレポートトリガー情報を受信し、端末はシステムのプリセットのルールに基づいて、サブフレームグループ２に対して非周期ＣＳＩレポートを行う必要があることを確定すると、
仮に端末は無線フレーム＃ａ＋１のスペシャルサブフレーム１においてｅＮＢ１が送信した非周期ＣＳＩレポートトリガー情報を受信し、端末はシステムのプリセットのルールに基づいて、サブフレームグループ１に対して非周期ＣＳＩレポートを行う必要があることを確定する。
【００７８】
無線フレーム＃ａにおいて、非周期ＣＳＩレポートトリガー情報をキャリーするスペシャルサブフレーム６はサブフレームグループ１に属するため、サブフレームグループ２に対して、端末は本発明の実施例の方式により非周期ＣＳＩレポートを行う。好ましくは、端末は、非周期ＣＳＩレポートトリガー情報が位置するサブフレームｎと共に同じ無線フレームに位置し、且つサブフレームグループ２に属するダウンリンクサブフレームｍ−ｊをサブフレームグループ２のＣＳＩ参照リソースに確定し、サブフレームｎは無線フレーム＃ａのスペシャルサブフレーム６であり、サブフレームｍは無線フレーム＃ａ＋１において端末が非周期ＣＳＩレポートを行うアップリンクサブフレーム２であり、システムはｊを正の整数ｔに等しいように予め定義して設定し、そして、システムはｔをｔ＝４のように予め定義して設定し、又は、ＲＲＣシグナリングはｔをｔ＝４のように設定する。そうすると、端末は無線フレーム＃ａにおいて上記条件を満たすダウンリンクサブフレーム８をサブフレームグループ２のＣＳＩ参照リソースに確定して、該サブフレームにおけるＣＳＩ測定結果を取得し、サブフレームグループ２に対応するＣＳＩレポートを生成し、無線フレーム＃ａ＋１のアップリンクサブフレーム２においてｅＮＢ１に送信する。
【００７９】
無線フレーム＃ａ＋１において、非周期ＣＳＩレポートトリガー情報をキャリーするスペシャルサブフレーム１はサブフレームグループ１に属するため、サブフレームグループ１に対して、端末は関連技術により非周期ＣＳＩレポートを行うことができ、即ち端末は無線フレーム＃ａ＋１におけるサブフレーム１をサブフレームグループ１のＣＳＩ参照リソースに確定して、該サブフレームにおけるＣＳＩ測定結果を取得し、サブフレームグループ１に対応するＣＳＩレポートを生成し、無線フレーム＃ａ＋１のアップリンクサブフレーム７においてｅＮＢ１に送信する。
【００８０】
本発明の実施例において、システム又は基地局はパラメータ設定により、非周期ＣＳＩレポートトリガー情報が位置するサブフレームｎと共に同じ無線フレームに位置し、且つ非周期ＣＳＩレポートのサブフレームｍと一定のサブフレーム間隔を満たす要望のサブフレームにおけるＣＳＩ測定結果を端末に取得させる。例えば、システム又は基地局は、関連する情報に基づいて、無線フレーム＃ａにおいてサブフレームグループ２に属するダウンリンクサブフレーム８がサブフレームグループ２のＣＳＩ情報の反映により相応しいと認める場合、該サブフレームを、端末がＣＳＩ測定結果を取得することを期待し且つＣＳＩレポートに用いられるサブフレームに設定する。
【００８１】
実施例６
本発明の実施例はチャネル状態情報の測定方法を提供し、該方法を利用してサブフレームグループ化非周期ＣＳＩレポートを行う原理は、図８に示される。
【００８２】
仮にｅＮＢ１がＳＩＢ１により端末に送信するアップリンク・ダウンリンク設定をアップリンク・ダウンリンク設定１とし、ｅＮＢ１がそのセルの現在のサービス負荷状況に基づいて採用のアップリンク・ダウンリンク設定をアップリンク・ダウンリンク設定２に調整し、仮にｅＮＢ２をｅＮＢ１のダウンリンクの強い干渉源セルとし、ｅＮＢ２の現在に採用するアップリンク・ダウンリンク設定をアップリンク・ダウンリンク設定１とする。
【００８３】
ｅＮＢ１はダウンリンクサブフレーム（スペシャルサブフレームを含む）を２つのサブフレームグループに区分し、サブフレーム｛０，１，４，５，６，９｝がサブフレームグループ１に属し、サブフレーム｛３，８｝がサブフレームグループ２に属する。
【００８４】
仮に端末は無線フレーム＃ａのスペシャルサブフレーム６においてｅＮＢ１が送信した非周期ＣＳＩレポートトリガー情報を受信し、端末はシステムのプリセットのルールに基づいて、サブフレームグループ２に対して非周期ＣＳＩレポートを行う必要があることを確定すると、
仮に端末は無線フレーム＃ａ＋１のスペシャルサブフレーム１においてｅＮＢ１が送信した非周期ＣＳＩレポートトリガー情報を受信し、端末はシステムのプリセットのルールに基づいて、サブフレームグループ１に対して非周期ＣＳＩレポートを行う必要があることを確定する。
【００８５】
無線フレーム＃ａにおいて、非周期ＣＳＩレポートトリガー情報をキャリーするスペシャルサブフレーム６はサブフレームグループ１に属するため、サブフレームグループ２に対して、端末は本発明の実施例の方式により非周期ＣＳＩレポートを行う。好ましくは、端末は、非周期ＣＳＩレポートトリガー情報が位置するサブフレームｎと共に同じ無線フレームに位置し、且つサブフレームグループ２に属するダウンリンクサブフレームｍ−ｊをサブフレームグループ２のＣＳＩ参照リソースに確定し、サブフレームｎは無線フレーム＃ａのスペシャルサブフレーム６であり、サブフレームｍは無線フレーム＃ａ＋１において端末が非周期ＣＳＩレポートを行うアップリンクサブフレーム２であり、システムはｊを正の整数ｔ以上の整数に予め定義して設定し、そして、システムはｔをｔ＝４のように予め定義して設定し、又は、ＲＲＣシグナリングはｔをｔ＝４のように設定する。サブフレーム６は無線フレーム＃ａに属し、該無線フレームにおいて上記条件を満たすダウンリンクサブフレームはサブフレーム８とサブフレーム３を含み、対応するｊの値はそれぞれ４と９であるため、端末は無線フレーム＃ａにおけるサブフレーム８とサブフレーム３をサブフレームグループ２のＣＳＩ参照リソースに確定して、この２つのサブフレームにおけるＣＳＩ測定結果を取得し、均一化処理を行い、サブフレームグループ２に対応するＣＳＩレポートを生成し、無線フレーム＃ａ＋１のアップリンクサブフレーム２においてｅＮＢ１に送信する。
【００８６】
無線フレーム＃ａ＋１において、非周期ＣＳＩレポートトリガー情報をキャリーするスペシャルサブフレーム１はサブフレームグループ１に属するため、サブフレームグループ１に対して、端末は関連技術により非周期ＣＳＩレポートを行うことができ、即ち端末は無線フレーム＃ａ＋１におけるサブフレーム１をサブフレームグループ１のＣＳＩ参照リソースに確定して、該サブフレームにおけるＣＳＩ測定結果を取得し、サブフレームグループ１に対応するＣＳＩレポートを生成し、無線フレーム＃ａ＋１のアップリンクサブフレーム７においてｅＮＢ１に送信する。
【００８７】
本発明の実施例において、端末は複数のサブフレームにおけるＣＳＩ測定結果を取得することができ、均一化処理により、より合理的なＣＳＩレポートを基地局に提供することができ、そして、端末は非周期ＣＳＩレポートトリガー情報が位置するサブフレームｎの後に位置し且つ非周期ＣＳＩレポートのサブフレームｍから一定のサブフレーム間隔を満たすサブフレームにおけるＣＳＩ測定結果を取得して利用する。
【００８８】
実施例７
本発明の実施例はチャネル状態情報の測定方法を提供し、該方法を利用してサブフレームグループ化非周期ＣＳＩレポートを行う原理は、図７に示される。
【００８９】
仮にｅＮＢ１がＳＩＢ１により端末に送信するアップリンク・ダウンリンク設定をアップリンク・ダウンリンク設定１とし、ｅＮＢ１がそのセルの現在のサービス負荷状況に基づいて採用のアップリンク・ダウンリンク設定をアップリンク・ダウンリンク設定２に調整し、仮にｅＮＢ２をｅＮＢ１のダウンリンクの強い干渉源セルとし、ｅＮＢ２の現在に採用するアップリンク・ダウンリンク設定をアップリンク・ダウンリンク設定１とする。
【００９０】
ｅＮＢ１はダウンリンクサブフレーム（スペシャルサブフレームを含む）を２つのサブフレームグループに区分し、サブフレーム｛０，１, ４，５，６, ９｝がサブフレームグループ１に属し、サブフレーム｛３，８｝がサブフレームグループ２に属する。
【００９１】
仮に端末は無線フレーム＃ａのスペシャルサブフレーム６においてｅＮＢ１が送信した非周期ＣＳＩレポートトリガー情報を受信し、端末はシステムのプリセットのルールに基づいて、サブフレームグループ２に対して非周期ＣＳＩレポートを行う必要があることを確定すると、
仮に端末は無線フレーム＃ａ＋１のスペシャルサブフレーム１においてｅＮＢ１が送信した非周期ＣＳＩレポートトリガー情報を受信し、端末はシステムのプリセットのルールに基づいて、サブフレームグループ１に対して非周期ＣＳＩレポートを行う必要があることを確定する。
【００９２】
無線フレーム＃ａにおいて、非周期ＣＳＩレポートトリガー情報をキャリーするスペシャルサブフレーム６はサブフレームグループ１に属するため、サブフレームグループ２に対して、端末は本発明の実施例の方式により非周期ＣＳＩレポートを行う。好ましくは、端末は、非周期ＣＳＩレポートトリガー情報が位置するサブフレームｎと共に同じ無線フレームに位置し、且つサブフレームグループ２に属するダウンリンクサブフレームｍ−ｊをサブフレームグループ２のＣＳＩ参照リソースに確定し、サブフレームｎは無線フレーム＃ａのスペシャルサブフレーム６であり、サブフレームｍは無線フレーム＃ａ＋１において端末が非周期ＣＳＩレポートを行うアップリンクサブフレーム２であり、システムはｊを正の整数ｔ以上の最小の整数に予め定義して設定し、そして、システムはｔをｔ＝４のように予め定義して設定し、又は、ＲＲＣシグナリングはｔをｔ＝４のように設定する。そうすると、端末は無線フレーム＃ａにおいて上記条件を満たすダウンリンクサブフレーム８をサブフレームグループ２のＣＳＩ参照リソースに確定して、該サブフレームにおけるＣＳＩ測定結果を取得し、サブフレームグループ２に対応するＣＳＩレポートを生成し、無線フレーム＃ａ＋１のアップリンクサブフレーム２においてｅＮＢ１に送信する。
【００９３】
無線フレーム＃ａ＋１において、非周期ＣＳＩレポートトリガー情報をキャリーするスペシャルサブフレーム１はサブフレームグループ１に属するため、サブフレームグループ１に対して、端末は関連技術により非周期ＣＳＩレポートを行うことができ、即ち端末は無線フレーム＃ａ＋１におけるサブフレーム１をサブフレームグループ１のＣＳＩ参照リソースに確定して、該サブフレームにおけるＣＳＩ測定結果を取得し、サブフレームグループ１に対応するＣＳＩレポートを生成し、無線フレーム＃ａ＋１のアップリンクサブフレーム７においてｅＮＢ１に送信する。
【００９４】
本発明の実施例において、端末は、非周期ＣＳＩレポートトリガー情報をキャリーするサブフレームｎが位置する無線フレームにおいて非周期ＣＳＩレポートのサブフレームｍと一定のサブフレーム間隔を満たし、且つそれに最も近いサブフレームにおけるＣＳＩ測定結果を取得して利用する。
【００９５】
実施例８
本発明の実施例はチャネル状態情報の測定方法を提供し、伝送モード１０を採用する場合、該方法を利用してＣＳＩ干渉測定リソース設定を行う原理は、図９に示される。
【００９６】
仮にｅＮＢ１がＳＩＢ１により端末に送信するアップリンク・ダウンリンク設定をアップリンク・ダウンリンク設定１とし、ｅＮＢ１がそのセルの現在のサービス負荷状況に基づいて採用のアップリンク・ダウンリンク設定をアップリンク・ダウンリンク設定２に調整し、仮にｅＮＢ２をｅＮＢ１のダウンリンクの強い干渉源セルとし、ｅＮＢ２の現在に採用するアップリンク・ダウンリンク設定をアップリンク・ダウンリンク設定１とする。
【００９７】
ｅＮＢ１はダウンリンクサブフレーム（スペシャルサブフレームを含む）を２つのサブフレームグループに区分し、サブフレーム｛０，１，４，５，６，９｝がサブフレームグループ１に属し、サブフレーム｛３，８｝がサブフレームグループ２に属する。
【００９８】
該実施例において、ｅＮＢ１が１つの伝送モード１０を採用する端末に２つのＣＳＩプロセスを設定し、それぞれＣＳＩプロセス１とＣＳＩプロセス２であるとする。
【００９９】
ｅＮＢ１は該端末のＣＳＩプロセス１とＣＳＩプロセス２に、２つのゼロパワーＣＳＩ-ＲＳリソース設定と重なるＣＳＩ-ＩＭリソースを設定し、ＣＳＩプロセス１に関連するＩ１とＩ２、及びＣＳＩプロセス２に関連するＩ３とＩ４を含み、Ｉ１、Ｉ３はサブフレーム０とサブフレーム５に位置し、周期が５msであり、サブフレームオフセットが０であり、１つのゼロパワーＣＳＩ-ＲＳリソース設定と重なり、Ｉ２、Ｉ４はサブフレーム３とサブフレーム８に位置し、周期が５msであり、サブフレームオフセットが３であり、もう１つのゼロパワーＣＳＩ-ＲＳリソース設定と重なる。
【０１００】
ｅＮＢ１はＣＳＩ-ＩＭリソースの設定情報を端末に送信し、サブフレームグループ情報に基づいて、端末は異なるサブフレームグループに対応するＣＳＩ-ＩＭリソースを確定することができ、サブフレーム０とサブフレーム５に位置する、サブフレームグループ１に対応するＩ１、Ｉ３（それぞれＣＳＩプロセス１、ＣＳＩプロセス２に関連する）、サブフレーム３とサブフレーム８に位置する、サブフレームグループ２に対応するＩ２、Ｉ４（それぞれＣＳＩプロセス１、ＣＳＩプロセス２に関連する）を含む。指定のＣＳＩプロセス、指定のサブフレームグループに対してＣＳＩレポートを行う必要がある場合、端末はＣＳＩ参照リソースの確定ルールに基づいて、対応するサブフレームをＣＳＩ参照リソースに確定し、それが指定のＣＳＩプロセス、指定のサブフレームグループに対応するＣＳＩ-ＩＭリソースにおいて得た干渉測定結果を取得して、ＣＳＩ測定結果を取得し、ＣＳＩレポートを生成し、ｅＮＢ１に送信することができる。
【０１０１】
また、端末装置は対応するサブフレームにおいてデータ伝送速度マッチングを行うために、ｅＮＢ１は更に２つのゼロパワーＣＳＩ-ＲＳリソースの設定情報を端末に送信する。
【０１０２】
実施例９
本発明の実施例はチャネル状態情報の測定方法を提供し、伝送モード１０を採用する場合、該方法を利用してＣＳＩ干渉測定リソース設定を行う原理は、図１０に示される。
【０１０３】
仮にｅＮＢ１がＳＩＢ１により端末に送信するアップリンク・ダウンリンク設定をアップリンク・ダウンリンク設定３とし、ｅＮＢ１がそのセルの現在のサービス負荷状況に基づいて採用のアップリンク・ダウンリンク設定をアップリンク・ダウンリンク設定５に調整し、仮にｅＮＢ２をｅＮＢ１のダウンリンクの強い干渉源セルとし、ｅＮＢ２の現在に採用するアップリンク・ダウンリンク設定をアップリンク・ダウンリンク設定３とする。
【０１０４】
ｅＮＢ１はダウンリンクサブフレーム（スペシャルサブフレームを含む）を２つのサブフレームグループに区分し、サブフレーム｛０，１，５，６，７，８，９｝がサブフレームグループ１に属し、サブフレーム｛３，４｝がサブフレームグループ２に属する。
【０１０５】
該実施例において、ｅＮＢ１が１つの伝送モード１０を採用する端末に２つのＣＳＩプロセスを設定し、それぞれＣＳＩプロセス１とＣＳＩプロセス２であるとする。
【０１０６】
ｅＮＢ１は該端末のＣＳＩプロセス１とＣＳＩプロセス２に、２つのゼロパワーＣＳＩ-ＲＳリソース設定と重なるＣＳＩ-ＩＭリソースを設定し、ＣＳＩプロセス１に関連するＩ１とＩ２、及びＣＳＩプロセス２に関連するＩ３とＩ４を含み、Ｉ１、Ｉ３はサブフレーム０とサブフレーム５に位置し、周期が５msであり、サブフレームオフセットが０であり、１つのゼロパワーＣＳＩ-ＲＳリソース設定と重なり、Ｉ２、Ｉ４はサブフレーム３とサブフレーム８に位置し、周期が５msであり、サブフレームオフセットが３であり、もう１つのゼロパワーＣＳＩ-ＲＳリソース設定と重なる。
【０１０７】
ｅＮＢ１はＣＳＩ-ＩＭリソースの設定情報を端末に送信し、サブフレームグループ情報に基づいて、端末は異なるサブフレームグループに対応するＣＳＩ-ＩＭリソースを確定することができ、サブフレーム０とサブフレーム５に位置する、サブフレームグループ１に対応するＩ１、Ｉ３（それぞれＣＳＩプロセス１、ＣＳＩプロセス２に関連する）、サブフレーム８に位置する、サブフレームグループ１に対応するＩ２、Ｉ４（それぞれＣＳＩプロセス１、ＣＳＩプロセス２に関連する）、サブフレーム３に位置する、サブフレームグループ２に対応するＩ２、Ｉ４（それぞれＣＳＩプロセス１、ＣＳＩプロセス２に関連する）を含む。指定のＣＳＩプロセス、指定のサブフレームグループに対してＣＳＩレポートを行う必要がある場合、端末はＣＳＩ参照リソースの確定ルールに基づいて、対応するサブフレームをＣＳＩ参照リソースに確定し、それが指定のＣＳＩプロセス、指定のサブフレームグループに対応するＣＳＩ-ＩＭリソースにおいて得た干渉測定結果を取得して、ＣＳＩ測定結果を取得し、ＣＳＩレポートを生成し、ｅＮＢ１に送信することができる。
【０１０８】
また、端末装置は対応するサブフレームにおいてデータ伝送速度マッチングを行うために、ｅＮＢ１は更に２つのゼロパワーＣＳＩ-ＲＳリソースの設定情報を端末に送信する。
【０１０９】
実施例１０
本発明の実施例はチャネル状態情報の測定装置を提供し、該装置の構造は、図１１に示され、
非周期ＣＳＩレポートトリガー情報が位置するサブフレームの前に位置し、且つ指定のサブフレームグループに属する１つ又は複数のダウンリンクサブフレームを該指定のサブフレームグループのＣＳＩ参照リソースに確定するように設定されるＣＳＩ参照リソース確定モジュール１１０１と、
前記ＣＳＩ参照リソースにおけるＣＳＩ測定結果を取得し、前記指定のサブフレームグループに対応するＣＳＩレポートを生成するように設定されるＣＳＩレポート生成モジュール１１０２と、を含む。
【０１１０】
好ましくは、前記ＣＳＩ参照リソース確定モジュール１１０１は、
指定のサブフレームグループに属するダウンリンクサブフレームｎ−ｉを該指定のサブフレームグループのＣＳＩ参照リソースに確定するように設定される第１リソース確定ユニットを含み、
ｎは非周期ＣＳＩレポートトリガー情報が位置するサブフレームであり、ｉは非負整数ｓ以上の整数である。
【０１１１】
本発明の実施例はチャネル状態情報の測定装置を更に提供し、その構造は、図１２に示され、
非周期ＣＳＩレポートサブフレームの前に位置し、非周期ＣＳＩレポートトリガー情報が位置するサブフレームと共に同じ無線フレームに位置し、且つ指定のサブフレームグループに属する１つ又は複数のダウンリンクサブフレームを該指定のサブフレームグループのＣＳＩ参照リソースに確定するように設定されるＣＳＩ参照リソース確定モジュール１２０１と、
前記ＣＳＩ参照リソースにおけるＣＳＩ測定結果を取得し、前記指定のサブフレームグループに対応するＣＳＩレポートを生成するように設定されるＣＳＩレポート生成モジュール１２０２と、を含む。
【０１１２】
好ましくは、ＣＳＩ参照リソース確定モジュール１２０１は、
非周期ＣＳＩレポートトリガー情報が位置するサブフレームと共に同じ無線フレームに位置し、指定のサブフレームグループに属するダウンリンクサブフレームｍ−ｊを該指定のサブフレームグループのＣＳＩ参照リソースに確定するように設定される第２リソース確定ユニットを含み、
ｍは端末が非周期ＣＳＩレポートを行うアップリンクサブフレームであり、ｊは正の整数ｔ以上の整数である。
【０１１３】
図１１と図１２に示すチャネル状態情報の測定装置は、端末装置に集積され、端末装置により対応する機能を完成することができる。
【０１１４】
本発明の実施例はチャネル状態情報の測定装置を更に提供し、伝送モード１０を採用する場合、該装置を利用してＣＳＩ干渉測定リソース設定を行うことができ、その構造は、図１３に示され、
指定の端末装置の全部のＣＳＩプロセスに、２つのゼロパワーＣＳＩ参照信号リソース設定と重なるＣＳＩ干渉測定リソースを設定するように設定されるリソース設定モジュール１３０１と、
前記指定の端末装置が指定のサブフレームグループのＣＳＩ参照リソース及び/又はＣＳＩ干渉測定リソースを確定するために、前記ＣＳＩ干渉測定リソースの設定情報を前記指定の端末装置に送信するように設定される設定送信モジュール１３０２と、を含む。
【０１１５】
好ましくは、前記設定送信モジュール１３０２は更に、前記指定の端末装置がデータ伝送速度マッチングを行うために、前記２つのゼロパワーＣＳＩ参照信号リソース設定の情報を指定の端末装置に送信するように設定される。
【０１１６】
図１３に示すチャネル状態情報の測定装置は基地局に集積され、基地局により対応する機能を完成することができる。
【０１１７】
本発明の実施例はコンピュータプログラムを更に提供し、プログラム指令を含み、該プログラム指令が端末装置により実行される場合、該端末装置は上記方法を実行できる。
【０１１８】
本発明の実施例はコンピュータプログラムを更に提供し、プログラム指令を含み、該プログラム指令が基地局により実行される場合、該基地局は上記方法を実行できる。
【０１１９】
本発明の実施例は上記いずれか１つのコンピュータプログラムを記憶する媒体を更に提供する。
【０１２０】
本発明の実施例はチャネル状態情報の測定方法及び装置を提供し、端末装置側において、端末装置は、非周期ＣＳＩレポートトリガー情報が位置するサブフレームの前に位置し且つ指定のサブフレームグループに属する１つ又は複数のダウンリンクサブフレームを該指定のサブフレームグループのＣＳＩ参照リソースに確定し、又は端末装置は、非周期ＣＳＩレポートサブフレームの前に位置し、非周期ＣＳＩレポートトリガー情報が位置するサブフレームと共に同じ無線フレームに位置し、且つ指定のサブフレームグループに属する１つ又は複数のダウンリンクサブフレームを該指定のサブフレームグループのＣＳＩ参照リソースに確定し、ＣＳＩ参照リソースを確定した後、前記端末装置は前記ＣＳＩ参照リソースにおけるＣＳＩ測定結果を取得し、前記指定のサブフレームグループに対応するＣＳＩレポートを生成し、基地局側において、基地局は指定の端末装置の全部のＣＳＩプロセスに、２つのゼロパワーＣＳＩ参照信号リソース設定と重なるＣＳＩ干渉測定リソースを設定し、且つ前記指定の端末装置が指定のサブフレームグループのＣＳＩ参照リソース及び/又はＣＳＩ干渉測定リソースを確定するために、対応する設定情報を前記指定の端末装置に送信する。本発明の実施例によれば、端末が、異なるサブフレームグループに対応するＣＳＩ測定結果を効果的に取得してＣＳＩレポートを行うことを実現し、基地局が柔軟にアップリンク・ダウンリンク設定を調整することにより端末がサブフレームグループ化非周期ＣＳＩレポートを行う場合、ＣＳＩ参照リソースを効果的に確定することができない問題を解決する。
【０１２１】
本発明の実施例による技術的構成において、端末はサブフレームグループ化非周期ＣＳＩレポートを行う場合、非周期ＣＳＩレポートトリガー情報が位置するサブフレーム又は位置する無線フレームに基づいて、指定のサブフレームグループのＣＳＩ参照リソースを確定し、関連技術における基地局が柔軟にアップリンク・ダウンリンク設定を調整することにより端末がサブフレームグループ化非周期ＣＳＩレポートを行う場合、ＣＳＩ参照リソースを効果的に確定することができない問題を効果的に解決し、端末が異なるサブフレームグループに対応するＣＳＩ測定結果を取得してＣＳＩレポートを行う能力を確保し、システムデータ伝送性能を改善する技術効果を達成する。
【０１２２】
当業者が理解できるように、上記実施例の全部又は一部のステップはコンピュータプログラムフローにより実現されることができ、前記コンピュータプログラムはコンピュータ読み取り可能な記憶媒体に記憶されることができ、前記コンピュータプログラムは対応するハードウェアプラットフォーム（例えば、システム、設備、装置、デバイス等）において実行され、実行される時、方法の実施例のステップの１つ又はその組合せを含む。
【０１２３】
選択的に、上記実施例の全部又は一部のステップは集積回路により実現されることもでき、これらのステップはそれぞれ各集積回路モジュールに製作されてもよく、又はそれらの中の複数のモジュール又はステップを単一の集積回路モジュールに製作して実現してもよい。このように、本発明はいずれの特定形式のハードウェアとソフトウェアの組み合わせに限定されたものではない。
【０１２４】
上記実施例における各装置/機能モジュール/機能ユニットは汎用のコンピュータ装置により実現されることができ、それらは単一のコンピュータ装置に集中してもよく、複数のコンピュータ装置からなるネットワークに分布してもよい。
【０１２５】
上記実施例における各装置/機能モジュール/機能ユニットはソフトウェア機能モジュールの形式で実現され且つ独立の製品として販売され又は使用される場合、コンピュータ読み取り可能な記憶媒体に記憶されることができる。上記コンピュータ読み取り可能な記憶媒体は読み出し専用メモリ、ディスク又は光ディスク等であってもよい。
【０１２６】
いかなる当業者が本発明の開示した技術範囲内において容易に想到し得る変更又は置き換えは、いずれも本発明の保護範囲内に含まれるべきである。従って、本発明の保護範囲は請求項に記載の保護範囲を基準とするべきである。
【産業上の利用可能性】
【０１２７】
本発明の実施例によれば、端末は、異なるサブフレームグループに対応するＣＳＩ測定結果を効果的に取得してＣＳＩレポートを行うことを実現し、基地局が柔軟にアップリンク・ダウンリンク設定を調整することにより端末がサブフレームグループ化非周期ＣＳＩレポートを行う場合、ＣＳＩ参照リソースを効果的に確定することができない問題を解決する。
【図１】
0006462106.tif 000003
【図２】
0006462106.tif 000004
【図３】
0006462106.tif 000005
【図４】
0006462106.tif 000006
【図５】
0006462106.tif 000007
【図６】
0006462106.tif 000008
【図７】
0006462106.tif 000009
【図８】
0006462106.tif 000010
【図９】
0006462106.tif 000011
【図１０】
0006462106.tif 000012
【図１１】
0006462106.tif 000013
【図１２】
0006462106.tif 000014
【図１３】
0006462106.tif 000015